(57)【要約】【課題】  スーパーターンスタイルアンテナ（ＶＨＦ用放送アンテナ）と、パネルアンテナにより構築されるＵＨＦ用放送アンテナとを、同じ地上高に並べて設置した構成の実用性の高い送信アンテナ装置を提供する。【解決手段】  放送塔の上部等の所定の地上高に鉛直に設けられる支持柱(１)に複数のバッドウィングアンテナにより構築されるスーパーターンスタイルアンテナ(１０)を取り付けると共に、上記支持柱から一定の距離を隔てて該支持柱と平行に補助支持柱(２)を設け、この補助支持柱にパネルアンテナ(２１)また複数のパネルアンテナにより構築される多面合成アンテナ(２０)を取り付けることで上記スーパーターンスタイルアンテナとパネルアンテナ／多面合成アンテナとを同一地上高に並べて設ける。【選択図】      図１
2006050080.tif 000002
【特許請求の範囲】
【請求項１】
所定の地上高に鉛直に設けられる支持柱と、
この支持柱に支持されて該支持柱の周囲に互いに直角に配列された複数のバッドウィングアンテナにより構築されたスーパーターンスタイルアンテナと、
前記支持柱に取り付けられた補助支持体と、
この補助支持体に支持され、そのアンテナ面を前記支持柱から一定の距離を隔てて該支持柱と平行に設けられたパネルアンテナと
を具備したことを特徴とする送信アンテナ装置。
【請求項２】
前記補助支持体は、前記バッドウィングアンテナの面を延長した位置、または互いに直角に配列されたバッドウィングアンテナの面により挟まれる領域に前記パネルアンテナを支持するものである請求項１に記載の送信アンテナ装置。
【請求項３】
前記パネルアンテナは、前記補助支持体に支持されて該補助支持柱の周囲に配列されて多面合成アンテナを構築する複数のパネルアンテナからなる請求項１に記載の送信アンテナ装置。
【請求項４】
前記複数のパネルアンテナは、前記支持柱に対峙する面を除く面に配列されて、前記支持柱に対峙する向きをヌル方位とする多面合成アンテナを構築するものである請求項３に記載の送信アンテナ装置。
【発明の詳細な説明】
【技術分野】
【０００１】
本発明は、放送塔における限られたスペースを有効に利用して設置することのできる送信アンテナ装置に関する。
【背景技術】
【０００２】
スーパーターンスタイルアンテナは、ＶＨＦ帯テレビジョン放送用アンテナとして幅広く用いられている。このスーパーターンスタイルアンテナは、鉄塔（支持柱）の周囲に４枚のバッドウィングアンテナ（放射素子）を互いに直交させて設けた構造を有する。また電力利得を高めるべく複数のバッドウィングアンテナを１波長間隔で多段に設けたり、或いは複数チャネルのスーパーターンスタイルアンテナを多段に設けるに際して、バッドウィングアンテナの周囲に補強用の支持柱を設けることも提唱されている（例えば特許文献１を参照）。
【０００３】
一方、複数の放射素子（例えばダイポールアンテナ）を、パネル状の反射板上にダイバシティ配列した複数枚のパネルアンテナを鉄塔（支持柱）の周囲に円環状に配列して多面合成アンテナを構築することが知られている（例えば特許文献２を参照）。この種の多面合成アンテナは、例えばＵＨＦ帯テレビジョン放送用アンテナとして幅広く用いられる。
【特許文献１】実公昭４６−１９１５０号公報
【特許文献２】実開昭６３−１０６２０８号公報
【発明の開示】
【発明が解決しようとする課題】
【０００４】
ところで上述したスーパーターンスタイルアンテナと多面合成アンテナとを同一の放送塔（鉄塔）に設置する場合、一般的には放送塔を構築する鉄塔の上部に鉛直に設けた支持柱にスーパーターンスタイルアンテナを設置し、上記多面合成アンテナについては上記鉄塔の上端部（上部鉄骨構造部）の周囲に設置することが考えられる。しかしスーパーターンスタイルアンテナの下方に多面合成アンテナが設けられることになり、電波サービスエリアに大きな影響を与えるアンテナ地上高に差が生じることが否めない。
【０００５】
そこでスーパーターンスタイルアンテナの周囲に多面合成アンテナを設けることが考えられる。しかしこの場合には、多面合成アンテナを構成する複数のパネルアンテナを上記スーパーターンスタイルアンテナを囲んで配列することになるので、これらのアンテナ間の干渉が懸念される。しかもスーパーターンスタイルアンテナを囲む多面合成アンテナ（複数のパネルアンテナ）によって、スーパーターンスタイルアンテナのアンテナ特性が大きく阻害される虞がある。また構造的には、例えばスーパーターンスタイルアンテナを支持した支持柱の周囲に前記多面合成アンテナを支持するための大掛かりな構造物（アンテナ支持体）を設けることが必要であり、その設備コストが嵩む等の問題がある。
【０００６】
本発明はこのような事情を考慮してなされたもので、その目的は、放送塔における限られたスペースを有効に利用してスーパーターンスタイルアンテナとパネルアンテナとを併設することのできる送信アンテナ装置を提供することにある。
特に本発明は、スーパーターンスタイルアンテナに代表されるＶＨＦ帯のテレビジョン放送用アンテナと、反射体をなすパネル板上にダイポールアンテナまたは双ループアンテナを配列した構成の、いわゆるパネルアンテナにより構築されるＵＨＦ帯のテレビジョン放送用アンテナとを、同じ地上高に並べて設置した構成の実用性の高い送信アンテナ装置を提供することを目的としている。
【課題を解決するための手段】
【０００７】
上述した目的を達成するべく本発明に係る送信アンテナ装置は、放送塔の上部等の所定の地上高に鉛直に設けられる支持柱と、この支持柱に支持されて該支持柱の周囲に互いに直角に配列された複数のバッドウィングアンテナにより構築されるスーパーターンスタイルアンテナと、前記支持柱に取り付けられた補助支持体と、この補助支持体に支持されてそのアンテナ面を前記支持柱から一定の距離を隔てて該支持柱と平行に設けられたパネルアンテナとを備えたことを特徴としている。
【０００８】
即ち、本発明に係る送信アンテナ装置は、複数のバッドウィングアンテナにより構築されるスーパーターンスタイルアンテナが取り付けられた支持柱に、パネルアンテナを支持するための補助支持体を取り付け、この補助支持体に前記支持柱から一定の距離を隔てて該支持柱と平行にパネルアンテナを取り付けることで、上記スーパーターンスタイルアンテナとパネルアンテナとを同一地上高に並べて設けたことを特徴としている。
【０００９】
好ましくは請求項２に記載するように前記補助支持体を、前記スーパーターンスタイルアンテナを構築するバッドウィングアンテナの面（アンテナ面）を延長した位置、または互いに直角に配列されたバッドウィングアンテナの面により挟まれる領域に前記パネルアンテナを支持し得るように前記支持柱に設け、これによってスーパーターンスタイルアンテナに干渉させることなく前記パネルアンテナを設置し得るようにしたことを特徴としている。
【００１０】
ちなみに前記パネルアンテナは、請求項３に記載するように前記補助支持体に支持されて該補助支持柱の周囲に配列されて多面合成アンテナを構築する複数のパネルアンテナからなる。特にこれらの複数枚のパネルアンテナは、請求項４に記載するように前記支持柱に対峙する面を除く面に配列されて、前記支持柱に対峙する向きをヌル方位とする多面合成アンテナを構築するように設けることが好ましい。
【００１１】
尚、前記パネルアンテナは、例えば反射体をなす所定の大きさのパネル板上に放射素子としてのダイポールアンテナまたは双ループアンテナを配列したものとして実現される。好ましくは前記スーパーターンスタイルアンテナはＶＨＦ帯のものとして、また前記パネルアンテナはＵＨＦ帯のものとして実現される。
【発明の効果】
【００１２】
上述した構成の送信アンテナ装置によれば、スーパーターンスタイルアンテナが取り付けられた支持柱に補助支持体を設け、この補助支持体に前記支持柱から一定の距離を隔てて該支持柱と平行にしてパネルアンテナを取り付けるだけなので、スーパーターンスタイルアンテナおよびパネルアンテナの取り付け地上高を容易に揃えることができる。しかも上述した如く設けられる補助支持体、およびこの補助支持体に取り付けられるパネルアンテナは、前記スーパーターンスタイルアンテナとの間に適当な距離を隔てるだけで該スーパーターンスタイルアンテナとの間で干渉することがないので、その存在はスーパーターンスタイルアンテナの特性に殆ど影響を及ぼすことがない。この結果、スーパーターンスタイルアンテナおよびパネルアンテナの各アンテナ特性をそれぞれ十分に引き出すことのできる送信アンテナ装置を実現することができる。
【００１３】
特に請求項２に記載するように補助支持体の設置位置、ひいてはパネルアンテナの取り付け位置を設定すれば、スーパーターンスタイルアンテナとパネルアンテナとの間の干渉を防ぎながら上記パネルアンテナの設置位置をスーパーターンスタイルアンテナに近付けることが可能となる。この結果、送信アンテナ装置の全体を、特に放送塔等の上部に設置されるアンテナ部をコンパクトに構成することが可能となる。
【００１４】
また請求項３に記載するように補助支持体に複数のパネルアンテナを取り付け、これらのパネルアンテナにて多面合成アンテナを構築すれば、この多面合成アンテナから幅広い範囲に亘って電波（例えばテレビジョン放送波）を効率的に放射（送信）することが可能となる。特に請求項４に記載するように複数のパネルアンテナを前記支持柱に対峙する面を除く面に配列し、該支持柱に対峙する向きをヌル方位とする放射パターンを得るように多面合成アンテナを構築すれば、スーパーターンスタイルアンテナの影響（干渉）を受けることのない送信アンテナとすることができる等の効果が奏せられる。
【００１５】
従って、例えばスーパーターンスタイルアンテナをＶＨＦ帯テレビジョン放送用の送信アンテナとして、また前記パネルアンテナにより構築される多面合成アンテナをＵＨＦ帯テレビジョン放送用の送信アンテナ、特にデジタル地上波テレビジョンアンテナとしてこれらの両アンテナを同時に有効に活用することが可能となる等の実用上多大なる効果が奏せられる。
【発明を実施するための最良の形態】
【００１６】
以下、図面を参照して本発明の一実施形態に係る送信アンテナ装置について、ＶＨＦ帯およびＵＨＦ帯のテレビジョン放送波をそれぞれ送信する放送塔に設置されるアンテナ装置を例に説明する。
図１はこの実施形態に係る送信アンテナ装置の概略構成を示しており、(ａ)はその正面図、(ｂ)はその平面構成図である。この送信アンテナ装置は、図示しない放送塔（鉄塔）の上部に鉛直に設けられてアンテナの取り付けに供せられる支持柱（アンテナ支持体）１に取り付けられるもので、複数のバッドウィングアンテナ１１により構築されるスーパーターンスタイルアンテナ１０と、例えば複数のパネルアンテナ２１により構築される多面合成アンテナ２０とを備える。ちなみに上記支持柱１は、放送塔（鉄塔）の上端部に鉛直（垂直方向）に突設された、例えば直径１９ｃｍ程度のパイプ体からなる。
【００１７】
上記スーパーターンスタイルアンテナ１０は、図１(ｂ)にその平面構成を示すように、４枚のバッドウィングアンテナ１１ａ,１１ｂ,１１ｃ,１１ｄを支持柱１の周囲に９０°の角度間隔で、そのアンテナ面が互いに直交するように配列して構築される。これらのバッドウィングアンテナ１１（１１ａ,１１ｂ,１１ｃ,１１ｄ）は、互いに９０°の位相差を与えて励振されることで、全方向性（無指向）アンテナであるターンスタイルアンテナとして機能する。特にこの実施形態に係るスーパーターンスタイルアンテナ１０は、４枚のバッドウィングアンテナ１１（１１ａ,１１ｂ,１１ｃ,１１ｄ）にて構成されるアンテナユニットを基本単位とし、図１(ａ)に示すように上記アンテナユニットを、例えば１波長間隔で多段に設けて構築される。尚、上記バッドウィングアンテナ１１の大きさ（縦寸法）は、ＶＨＦ帯テレビジョン放送波（ローチャネル）の送信アンテナの場合、１段当たり２.５〜３ｍ程度である。
【００１８】
一方、多面合成アンテナ２０を構成するパネルアンテナ２１は、例えば図２(ａ)(ｂ)にその一部を切欠して示す平面構成とその側面構成とを示すように、ループ形状の放射素子を備えた４素子双ループアンテナ２２と、この４素子双ループアンテナ２２の裏面側に該４素子双ループアンテナ２２がなすアンテナ面と平行に設けられた平板状の主反射板２３とを備えて構成される。上記４素子双ループアンテナ２２は、その周長Ｌが電波周波数の略１波長（λ）となる円弧状のループアンテナ素子部（放射素子）２５を、略１／２波長（λ／２）の長さの平行給電部２６を介して４素子形成した構造のものである。
【００１９】
またこの４素子双ループアンテナ２２の裏面側に設けられる主反射板２３は、ループアンテナ素子部２５から放射される電波を反射することで、パネルアンテナ２１としての電波放射特性を前記主反射板２３の反射面に垂直な方向に向けて単一指向性を持たせる役割を担う。また主反射板２３の両側部にそれぞれ設けられた副反射板２４は、主反射板２３の両側部を介して廻り込む電波を抑えることで、パネルアンテナ２１におけるサイドローブおよびバックローブをそれぞれ抑えてその指向特性を高める役割を担う。これらの副反射板２４の高さｈは、その放送電波周波数の波長λに対して、例えば０.０１λ〜０.１４λ程度に設定される。
【００２０】
またこのパネルアンテナ２１は、前述した４素子双ループアンテナ２２を覆ってその電波放射面に設けられる保護カバー（レイドーム）２７を備えている。この保護カバー２７は電波透過性の良好な合成樹脂材等からなり、前記副反射板２４を介してそのアンテナ面の全体を覆うように取り付けられる。このような保護カバー２７により、雨風や雪、更には粉塵等から４素子双ループアンテナ２２が保護され、また放送塔に取り付けた際に受け易い風圧荷重に対するパネルアンテナ２１の構造的強度が確保されている。
【００２１】
このような構造のパネルアンテナ２１、或いは複数のパネルアンテナ２１によって構築される多面合成アンテナ２０の放送塔への取り付けは、特に前述した支持柱１から一定の距離Ｄを隔てて該支持柱１と平行に棒状の補助支持体２を設け、この補助支持体２にパネルアンテナ２１を取り付けることにより行われる。即ち、図１(ａ)に示すようにスーパーターンスタイルアンテナ１０を取り付けた支持柱１に、該支持柱１から横方向に延びる上下一対の連結部材３,３を設け、これらの連結部材３,３を介してその先端部に前記支持柱１と平行に補助支持体２を設ける。
【００２２】
この補助支持体２を設ける位置については、例えば図１(ｂ)に示すようにスーパーターンスタイルアンテナ１０を構築するバッドウィングアンテナ１１の面（アンテナ面）を延長した位置、または図１(ｂ)において仮想線にて示すように互いに直角に配列された２枚のバッドウィングアンテナ１１の各アンテナ面により挟まれる領域（向き）であって前記パネルアンテナ２１の設置を可能とする位置、具体的にはバッドウィングアンテナ１１のアンテナ面に対して４５°の角度をなす向きの位置とすれば良い。
【００２３】
そしてこのような補助支持体２に、パネルアンテナ２１から放射される電波が指向する向きに合わせて該パネルアンテナ２１を取り付けるようにすれば良い。この際、パネルアンテナ２１から電波を放射する向きが、前記支持柱１に対峙する面にならない向きとすることで、スーパーターンスタイルアンテナ１０の影響を受けることなしにパネルアンテナ２１を設置することが可能となる。またパネルアンテナ２１の電力利得を高める場合には、図１(ａ)に示すように複数のパネルアンテナ２１を多段に設けるようにすれば良い。
【００２４】
また補助支持体２の周囲に複数枚（例えば３枚）のパネルアンテナ２１を取り付けて、これらのパネルアンテナ２１により多面合成アンテナ２０を構築する場合には、図１(ｂ)に示すように前記支持柱１に対峙する面を避けて複数のパネルアンテナ２１を取り付けるようにすれば良い。具体的には前記支持柱１に対峙する面を避けて、３枚のパネルアンテナ２１を９０°ずつその向きを異ならせて補助支持体２の周囲に取り付けるようにすれば良い。この場合においても、複数のパネルアンテナ２１により構成される多面合成アンテナ２０を図１(ａ)に示すように多段に設け、これによってその電力利得を高めるようにしても良い。
【００２５】
尚、パネルアンテナ２１にてＵＨＦ帯テレビジョン放送アンテナを実現する場合、その放射素子として前述した４素子双ループアンテナ２２を用いた場合には、パネルアンテナ２１の縦寸法は概略２ｍとなる。ちなみに１段当たり２.５〜３ｍ程度のスーパーターンスタイルアンテナ１０を３段積み重ねてＶＨＦ帯の或るチャネルの放送アンテナを構築した場合、そのＶＨＦアンテナの縦寸法は略７.５〜９ｍ程度となる。これに対して１段当たり略２ｍのパネルアンテナ２１を４段積み重ねてＵＨＦ帯の或るチャネルの放送アンテナを構築すれば、そのＵＨＦアンテナの縦寸法は略８ｍとなる。従って３段構成のスーパーターンスタイルアンテナ１０と、４段構成の多面合成アンテナ２０との縦寸法がほぼ等しくなるので、例えば図１(ａ)に示すように３段構成のスーパーターンスタイルアンテナ１０と、４段構成の多面合成アンテナ（パネルアンテナ）２０との取り付け位置を合わせれば、これらのアンテナ１０,２０の取り付け高さ位置（放送塔における地上高）を実質的に略等しく設定することが可能となる。
【００２６】
故に１つの放送塔における同一高さ位置に、スーパーターンスタイルアンテナ１０からなるＶＨＦ用のテレビジョン放送アンテナと、パネルアンテナ２１を用いて構成される多面合成アンテナ２０からなるＵＨＦ用のテレビジョン放送アンテナとを同時に設置することが可能となる。特に放送塔の上部に設けた支持柱１にスーパーターンスタイルアンテナ１０を取り付け、また上記支持柱１の側部に該支持柱１と平行に設けた補助支持体２にパネルアンテナ２０を取り付けるだけで、各アンテナ１０,２０の特性を損なうことなしに各アンテナ１０,２０をそれぞれ機能させることが可能となる。
【００２７】
ここで上述した如く設けられるスーパーターンスタイルアンテナ１０および多面合成アンテナ２０の各アンテナ特性について述べる。スーパーターンスタイルアンテナ１０の基本的な水平指向性は図３(ａ)に特性ＨＡ１として示す通りであり、またその垂直指向性は図３(ｂ)に特性ＶＡ１として示す通りである。また前述した特許文献１にも開示されるようにスーパーターンスタイルアンテナ１０の周囲に、例えばバッドウィングアンテナのアンテナ面の延長上に補強用支持材を設けても、そのアンテナ特性に殆ど影響を与えることがない。従って上記補強用支持材を設ける位置に補助支持体２を設け、この補助支持体２にパネルアンテナ２１を取り付けても、これらの存在によってスーパーターンスタイルアンテナ１０のアンテナ特性には殆ど影響がないと考えられる。
【００２８】
そこでバッドウィングアンテナのアンテナ面の延長上に設けた補助支持体２にパネルアンテナ２１を取り付け、この状態においてスーパーターンスタイルアンテナ１０の水平指向性を調べたところ、図３(ａ)に特性ＨＡ２として示すように元のアンテナ特性から殆ど変化しないことが確認された。またその垂直指向性については、図３(ｂ)に特性ＶＡ２として示すように若干半値幅が拡がるものの元のアンテナ特性から殆ど変化しないことが確認された。即ち、図３に示すようにパネルアンテナ２１の有無に拘わらず、スーパーターンスタイルアンテナ１０のアンテナ特性（指向性）は殆ど変化することがなく、実用に十分供し得ることが確認できた。
【００２９】
一方、補助支持体２の周囲に９０°間隔で取り付けた３面のパネルアンテナ２１からなる多面合成アンテナ２０の基本的な水平指向性は図４(ａ)に特性ＨＢ１として示す通りであり、上記３枚のパネルアンテナ２１がそれぞれ指向する向きに対してだけ、ほぼ一様の電波放射強度が得られる。換言すればパネルアンテナを設けていない方向を除く領域に、一様な電波強度が得られる。またその垂直指向性は図４(ｂ)に特性ＶＢ１として示す通りである。
【００３０】
そこでこのような多面合成アンテナ２０を前述した補助支持体２に取り付け、特に３枚のパネルアンテナ２１を支持柱１に対峙する方向を避けて設けた場合の水平指向特性を調べたところ、図４(ｂ)に特性ＨＢ２として示すように元のアンテナ特性から殆ど変化しないことが確認された。またその垂直指向特性を調べたところ、図４(ｂ)に特性ＶＢ２として示すように元のアンテナ特性から殆ど変化しないことも確認された。この事実は支持柱１およびこの支持柱１に取り付けられたスーパーたースタイルアンテナ１０は、上述した３枚のパネルアンテナ２１からなる３面合成アンテナ２０から電波が放射されることのない面に対峙しており、従ってこれらのアンテナ１０,２０が互いに対峙する部位においてそのアンテナ面が対峙することがなく、従って電波干渉等が生じない為であると考えられる。
【００３１】
従って上述したように１つの放送塔の上部構築部である支持柱１にスーパーターンスタイルアンテナ１０を取り付け、更に前記支持柱１に設けた補助支持体２に上記支持柱１を避けた向きを指向させて３面合成アンテナ２０を取り付けた送信アンテナ装置によれば、上記各アンテナ１０,２０を干渉させることなく、各アンテナ１０,２０がそれぞれ有するアンテナ特性をそれぞれ十分に機能させることができる。従ってスーパーターンスタイルアンテナ１０から放射されるＶＨＦ帯のテレビジョン放送波と、３面合成アンテナ２０か放射されるＵＨＦ帯のテレビジョン放送波とを、それぞれ所定の放送サービスエリアに向けて効率的に送信することが可能となる。特に上記各アンテナ１０,２０を放送塔における同一高さ位置（地上高）に設置することができるので、その電波到達距離をそれぞれ十分に確保することが可能となる等の効果が奏せられる。
【００３２】
尚、本発明は上述した実施形態に限定されるものではない。例えば補助支持体２を設ける位置については、前述した支持柱１からの距離Ｄを隔てた位置のいずれの向きであっても良い。つまり支持柱１を中心とする半径Ｄの周面上の度の位置に補助支持体２を設けても良い。また補助支持体２を２枚のバッドウィングアンテナ１１の間に設ける場合には、パネルアンテナ２１の設置を妨げない範囲で上記距離Ｄを短くして多面合成アンテナ２０の設置位置を支持柱１に近付けるようにしても良い。
【００３３】
また実施形態においては３段構成のスーパーターンスタイルアンテナ１０について示したが、その構成段数は特に限定されるものではなく、割り当て周波数（チャネル）の異なる複数のスーパーターンスタイルアンテナ１０を多段配列することも勿論可能である。更には多面合成アンテナ２０についても、要求される電力利得に応じてその構成段数を変えたり、割り当て周波数（チャネル）の異なる複数の多面合成アンテナ２０を多段配列することも勿論可能である。またその送信周波数に応じてアンテナ寸法等を設定すれば良いことも言うまでもない。
【００３４】
またパネルアンテナ２１から全方位に亘って電波を放射する必要がある場合には、３面合成アンテナ２０を設けた側とは反対側の位置に更に別の補助支持体を設け、この補助支持体に別のパネルアンテナ２１多面合成アンテナ２０を設けることも可能である。或いは図５に示すように、スーパーターンアンテナ１０を構築する４つのバッドウィングアンテナ１１ａ,１１ｂ,１１ｃ,１１ｄの各アンテナ面の延長線上にそれぞれ補助支持体２を設け、これらの各補助支持体２にパネルアンテナ２１を、そのアンテナ面が各バッドウィングアンテナ１１と平行となるようにそれぞれ取り付けても良い。即ち、上記４枚のパネルアンテナ２１のアンテナ面を順次９０°ずつ異ならせることでスキュー配列し、これによって無指向性のアンテナ特性を有する送信アンテナを構築するようにしても良い。
【００３５】
尚、前述した多面合成アンテナ２０については、４面以上のパネルアンテナ２１を用いて構成することも可能である。更にはパネルアンテナ２１自体を、前述した４素子双ループアンテナに代えて、２素子双ループアンテナやダイポールアンテナ等を用いて実現することも勿論可能であり、またこれらのアンテナ素子を横並びに並列配置してパネルアンテナ２１を構成することも可能である。
【００３６】
また前述した連結部材３については、支持柱１に対する取り付け高さ位置を調整可能な構成としたり、更には補助上記柱２の支持位置を、つまり補助上記柱２の上記支持柱１からの離間距離Ｄを調整可能な構造としておくことも有用である。更にはこの連結部材３にパネルアンテナ２１の上端部および下端部をそれぞれ取り付けることで、前述した保持支持体２を用いることなくパネルアンテナ２１を設置するようにしても良い。この場合、上記連結部材３自体が補助支持体２として機能することになる。またここではテレビジョン放送用のアンテナを例に説明したが、各種情報通信用のアンテナを構築する場合にも同様に適用可能なことは言うまでもない。その他、本発明はその要旨を逸脱しない範囲で種々変形して実施することができる。
【図面の簡単な説明】
【００３７】
【図１】本発明の一実施形態に係る送信アンテナ装置の概略構成を示す正面図および平面図。
【図２】図１に示す送信アンテナ装置に取り付けられるパネルアンテナの概略構成を示す平面図および側面図。
【図３】図１に示す送信アンテナ装置におけるスーパーターンスタイルアンテナの指向特性を示す図。
【図４】図１に示す送信アンテナ装置における多面合成アンテナの指向特性を示す図。
【図５】４枚のパネルアンテナをスキュー配列して構成される送信アンテナ装置の例を示す図。
【符号の説明】
【００３８】
１  支持柱
２  補助支持体
３  連結部材（補助支持体）
１０  スーパーターンスタイルアンテナ
１１  バッドウィングアンテナ
２０  多面合成アンテナ
２１  パネルアンテナ
２２  ４素子双ループアンテナ
【図１】
2006050080.tif 000003
【図２】
2006050080.tif 000004
【図３】
2006050080.tif 000005
【図４】
2006050080.tif 000006
【図５】
2006050080.tif 000007